(57)【要約】【課題】ファインダ構成部品の配置を工夫することでカメラの大型化を防止するとともに、その配置によって起こり得る不具合を解消したファインダ装置を提供することにある。【解決手段】画面内表示装置を構成する画面内表示素子３と、画面内表示素子３の光射出面に設けられる第１の視野枠２１と、画面外表示装置８と、画面外表示装置８の光射出面に設けられる第２の視野枠２２とを有し、画面外表示装置８，９は、画面内表示素子３とファインダ光軸方向に位置をずらして、かつ一部が画面内表示素子３と重なるように配置されるとともに、第２の視野枠２２をファインダ光軸方向と非直交に配置することで、第２の視野枠２２の先端面２２ａでの反射光が接眼レンズ５〜７に導かれるのを防止する。【選択図】        図１
2005049482.tif 000002
【特許請求の範囲】
【請求項１】
被写体光束を透過するとともに、被写体像に重ね合わせて表示を行うための光を射出する画面内表示装置と、
該画面内表示装置の光射出面に設けられ、画面内表示装置を透過した被写体光束を絞ることでファインダ内に撮影画面を規定する第１の視野枠と、
前記撮影画面外に情報を表示すべくファインダ光軸方向に表示光を射出する画面外表示装置と、
該画面外表示装置の光射出面に設けられ、画面外表示装置からの表示光を絞ることで画面外に情報表示領域を規定する第２の視野枠と、
前記第１，第２の視野枠を通過した光束を観察するための接眼レンズとを有し、
前記画面外表示装置は、前記画面内表示装置とファインダ光軸方向に位置をずらして、かつ一部が前記画面内表示装置と重なるように配置されるとともに、それに応じて前記第１，第２の視野枠もファインダ光軸方向に位置をずらして、かつ部分的に重なるよう配置され、更に前記第２の視野枠の前記重なり部分の先端面での反射光が前記接眼レンズに導かれないように、該第２の視野枠は前記ファインダ光軸方向と非直交に配置されることを特徴とするファインダ装置。
【請求項２】
前記第２の視野枠は前記第１の視野枠と非平行に配置されることを特徴とする請求項１に記載のファインダ装置。
【請求項３】
前記画面外表示装置の光射出面に突起を設け、該突起に前記第２の視野枠の一端側を、該光射出面に他端側を支持させることで該第２の視野枠をファインダ光軸方向と非直交に配置したことを特徴とする請求項１または２に記載のファインダ装置。
【請求項４】
ファインダ光路内に設けられる第１の視野枠と、
前記第１の視野枠とファインダ光軸方向に位置をずらして、かつ一部が前記第１の視野枠と重なるよう配置された第２の視野枠と、
前記第１，第２の視野枠を通過した光を観察するための接眼レンズとを有し、
前記第２の視野枠の前記重なり部分の先端面での反射光が前記接眼レンズに導かれないように、該第２の視野枠は前記ファインダ光軸方向と非直交に配置されていることを特徴とするファインダ装置。
【発明の詳細な説明】
【０００１】
【発明の属する技術分野】
本発明は、カメラに用いられるファインダ装置に関する。
【０００２】
【従来の技術】
カメラに用いられるファインダ装置では、撮影画面の外側にシャッタ秒時や絞り値などの情報を表示するための情報表示エリアを設けたものが多い。情報表示は、例えば表示素子とバックライトとを備えた表示装置（以下、画面外表示装置）をペンタプリズムの下方に設けることで達成される。撮影画面および情報表示エリアを規定するための視野枠は、ペンタプリズムの直ぐ下方に配置される。
【０００３】
一方、撮影画面内に複数のフォーカスエリアを持つカメラにおいて、その複数エリアのうち選択されたエリアをファインダ内に表示可能としたものがある。この場合、撮影画面内の選択エリアに対応する指標を直接光らせる、いわゆるオンスクリーン表示を行うことで、撮影者は瞬時に選択エリアを認識できる。特許文献１には、かかるオンスクリーン表示を行う表示装置（以下、画面内表示装置）をペンタプリズムの下方に配置したものが開示されている。
【０００４】
【特許文献１】
特開２００１−３０５５３９号公報
【０００５】
【発明が解決しようとする課題】
上述した画面外表示装置および画面内表示装置は、いずれもペンタプリズム（あるいはペンタミラー）の下方に位置するものであるから、その双方をファインダ装置に設けるとなると、配置スペースを確保するのが難しく、配置如何によってはカメラの大型化を招来する。
【０００６】
本発明の目的は、ファインダ構成部品の配置を工夫することでカメラの大型化を防止するとともに、その配置によって起こり得る不具合を解消したファインダ装置を提供することにある。
【０００７】
【課題を解決するための手段】
請求項１の発明に係るファインダ装置は、被写体光束を透過するとともに、被写体像に重ね合わせて表示を行うための光を射出する画面内表示装置と、画面内表示装置の光射出面に設けられ、画面内表示装置を透過した被写体光束を絞ることでファインダ内に撮影画面を規定する第１の視野枠と、撮影画面外に情報を表示すべくファインダ光軸方向に表示光を射出する画面外表示装置と、画面外表示装置の光射出面に設けられ、画面外表示装置からの表示光を絞ることで画面外に情報表示領域を規定する第２の視野枠と、第１，第２の視野枠を通過した光束を観察するための接眼レンズとを有する。画面外表示装置は、画面内表示装置とファインダ光軸方向に位置をずらして、かつ一部が画面内表示装置と重なるように配置されるとともに、それに応じて第１，第２の視野枠もファインダ光軸方向に位置をずらして、かつ部分的に重なるよう配置され、更に第２の視野枠の上記重なり部分の先端面での反射光が接眼レンズに導かれないように、第２の視野枠はファインダ光軸方向と非直交に配置される。
請求項２の発明は、第２の視野枠が第１の視野枠と非平行に配置されるものである。
請求項３の発明は、画面外表示装置の光射出面に突起を設け、突起に第２の視野枠の一端側を、光射出面に他端側を支持させることで第２の視野枠をファインダ光軸方向と非直交に配置したものである。
請求項４の発明には係るファインダ装置は、ファインダ光路内に設けられる第１の視野枠と、第１の視野枠とファインダ光軸方向に位置をずらして、かつ一部が第１の視野枠と重なるよう配置された第２の視野枠と、第１，第２の視野枠を通過した光を観察するための接眼レンズとを有する。また、第２の視野枠の上記重なり部分の先端面での反射光が接眼レンズに導かれないように、第２の視野枠はファインダ光軸方向と非直交に配置される。
【０００８】
【発明の実施の形態】
図１〜図３により本発明の一実施の形態を説明する。
図１は本実施形態におけるカメラのファインダ周辺部を示している。不図示の撮影レンズを透過した被写体光束は、反射ミラー１により上方に反射され、焦点板２で結像した後、画面内表示装置を構成する表示素子（以下、画面内表示素子）３および第１の視野枠２１を順に通過して中空状のペンタダハミラー（以下、ペンタミラー）４に導かれる。視野枠２１には、撮影画面１０１（図２）に対応する開口が予め形成されており、その開口で絞られた光束がペンタミラー４に入射する。ペンタミラー４への入射光束は、互いに直交する一対の反射面を持つダハミラー部４ａで反射され、更に平面ミラー部４ｂで反射された後、接眼レンズ５〜７を介してアイポイントにて観察される。撮影にあたってミラー１がアップし、シャッタ５０が開かれると、被写体光束はシャッタ５０を通過してフィルム面、あるいは撮像素子の受光面に導かれる。なお、画面内表示素子３については後で詳述する。
【０００９】
焦点板２および外面内表示素子３の後方には、撮影情報等を撮影画面外に表示する画面外表示装置８が配置されている。画面外表示装置８は、表示素子８ａと、バックライト８ｂと、反射プリズム９とを有し、表示素子８ａにて形成される情報は、バックライト８ｂにより照らされ、プリズム９および第２の視野枠２２を通ってファインダ光軸方向に進み、ペンタミラー４に導かれる。視野枠２２には、情報表示エリア１０２（図２）に対応する開口が予め形成されており、その開口で絞られた光束がペンタミラー４に導かれ、接眼レンズ５〜７にて観察される。表示される情報は、例えば絞り値やシャッタ秒時、露出補正量などである。なお、３１は焦点板２，画面内表示素子３，視野枠２１，画面外表示装置８等を保持固定する固定枠である。
【００１０】
本実施形態のカメラはフォーカスエリアが５箇所に設定され、図２の如く撮影画面１０１に各フォーカスエリアを表す指標（焦点検出枠）ＡＦが表示される。カメラは、５箇所のフォーカスエリアのうち選択されたいずれか１エリアの被写体にピントを合わせる。フォーカスエリアの選択は、各エリアの焦点調節状態に応じてカメラが自動的に行うよう設定することもできるし、ユーザが手動操作により選択することもできる。
【００１１】
このフォーカスエリアの選択に伴い、上記画面内表示素子３を備えた画面内表示装置が選択エリアに対応する指標ＡＦを明るく表示し、ユーザに報知する。画面内表示素子３としては、例えば本出願人による特開２００１−３０５５３９号公報に開示されているような高分子分散型液晶を使ったものを用いることができる。このように選択エリアを画面内にオンスクリーン表示することで、ユーザは即座に選択エリアを把握できる。
【００１２】
ところで、画面内表示素子３および画面外表示装置８は、いずれもペンタミラー４の下方に位置するものであり、双方を配置するだけのスペースを確保するのが難しい。画面外表示装置８を後方にずらせば問題はないが、シャッタ５０が存在するために後方への移動はできない。そこで本実施形態では、画面外表示装置８をファインダ光軸４１方向（図示上方）にずらし、プリズム９の一部が画面内表示素子３と重なるよう配置することで、配置スペースの問題を解決している。
【００１３】
しかし、この場合はプリズム９の上面と画面内表示素子３の上面とに段差が生じ、従来のように単一の視野枠で撮影画面１０１と情報表示エリア１０２の双方を規定することはできない。撮影画面用の視野枠２１と情報表示エリア用の視野枠２２とを別々に設けたのはこのためである。すなわち、視野枠２１は画面内表示素子３の射出面に、視野枠２２はプリズム９の射出面にそれぞれ配置され、両視野枠２１，２２はファインダ光軸４１方向にずれ、かつ一部が互いに重なることになる。このため、図２に斜線で示すように、視野枠２１，２２の枠相当部分は重なって表示されるが、実際にはいずれの枠部分もブラックアウトとなるため、視野枠が２つ重なっているようには見えない。
【００１４】
そして、上記の構成では、図１の如く視野枠２２の重なり部分の先端面２２ａがファインダ光軸４１側に突出する状態となるため、焦点板２で拡散された有効領域外の光束４２が視野枠２２の先端面２２ａで反射され、これがペンタミラー４を介して不所望に接眼レンズ５〜７に入射し、ファインダの視認性を悪化させるおそれがある。これを防止するため、本実施形態では以下に示すように視野枠２２を斜めに配置した。
【００１５】
図３の斜視図に示すように、画面外表示装置８を構成するプリズム９の上面には、有効光束範囲外に凸部９ａが設けられている。一方、固定枠３１には、視野枠２２を位置決めするための一対の凸部３１ａが設けられている。視野枠２２は、一対の凸部３１ａにより前後左右に位置決めされるとともに、後端部はプリズム９の凸部９ａに、先端部はプリズム９の先端部９ｂに接するように置かれる。これにより視野枠２２は、プリズム９の上面（射出面）に対して斜めに、換言すればファインダ光軸に対して非直交に配置されることになり、プリズム上面と平行に配置した場合と先端面２２ａの角度が変わる。したがって、図１に示すように焦点板２の拡散光が先端面２２ａで反射されても、その光が接眼レンズ５〜７に達することはなく、撮影者の目には入らない。
【００１６】
因みに、上記のような有害光が接眼レンズに到達しないようにするために、例えば視野枠２２の先端面２２ａにつや消し塗料を塗る、あるいは視野枠の先端部のみを斜めに折り曲げるなどの方法が考えられるが、いずれも加工が難しく手間がかかるため現実的でない。本実施形態のように視野枠自体を斜めに配置するようにすれば、工数を増大させることなく有害光をカットできる。
【００１７】
なお、情報表示エリア１０２を撮影画面１０１の下方に配置した例を示したが、これは画面の上方，左方あるいは右方でもよく、その位置に応じて画面が表示装置の位置も変わることになる。また、上記以外の理由で２つの視野枠を段差をもって配置しなければならない場合も同様に本発明を適用できる。
【００１８】
【発明の効果】
本発明によれば、画面外表示装置を画面内表示装置に対してファインダ光軸方向に位置をずらして、かつ一部が画面内表示装置と重なるように配置したので、カメラを大型化することなく画面外表示装置および画面内表示装置の双方の配置が可能となる。また、画面外表示用の第２の視野枠をファインダ光軸方向と非直交に配置したので、第２の視野枠の先端面での反射光が接眼レンズに導かれることなく、ファインダの視認性の悪化を防止できる。
【図面の簡単な説明】
【図１】一実施形態におけるカメラのファインダ周辺を示す図。
【図２】接眼レンズを介して視認される撮影画面と情報表示エリアを示す図。
【図３】視野枠（第２の視野枠）の取付構造を示す図。
【符号の説明】
１  メインミラー
２  焦点板
３  画面内表示素子
４  ペンタミラー
５〜７  接眼レンズ
８  画面外表示装置
９  プリズム
９ａ  凸部
２１  第１の視野枠
２２  第２の視野枠
２２ａ  先端面
４１ファインダ光軸
【図１】
2005049482.tif 000003
【図２】
2005049482.tif 000004
【図３】
2005049482.tif 000005